【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
患者の眼の疾患の進行を解析する方法であって、
２以上の異なる時に２以上の検査モダリティを使用して患者の眼から収集された複数の測定値を受け取ること、
前記患者の眼の疾患の進行の解析を支援するために、変換関数を使用して、異なる検査モダリティから収集された複数の測定値の、共通のスケールでの表現を含むマップを生成すること、
前記マップ、または前記マップから導出された解析結果を表示すること
を含む方法。
【請求項２】
前記複数の測定値は、共通の空間分布および測定スケールにマッピングされている、請求項１に記載の方法。
【請求項３】
前記関数の出力を表示することをさらに含む、請求項１または２に記載の方法。
【請求項４】
前記検査モダリティは、前記眼の１つの構造的な検査と１つの機能的な検査とを含む、請求項１または２に記載の方法。
【請求項５】
前記検査モダリティのうちの少なくとも１つは、視野検査、ＲＮＦＬ解析、ＯＮＨ解析、神経節細胞解析および黄斑部網膜内層厚からなる群から選択されている、請求項１、２、及び４のいずれか一項に記載の方法。
【請求項６】
２以上の複数の測定値は、視野測定法、走査レーザー偏光分析法および光干渉トモグラフィ（ＯＣＴ）の中の１以上の技術を使用して収集される、請求項１〜５のいずれか一項に記載の方法。
【請求項７】
前記２以上の複数の測定値は、同じ技術を使用して生成される、請求項６に記載の方法。
【請求項８】
前記関数の前記共通のスケールは、前記複数の測定値の１つと同じ形態である、請求項１〜７のいずれか一項に記載の方法。
【請求項９】
前記変換関数で用いられる測定値は、個々の検査モダリティの信頼性に応じて重みを付けられている、請求項１〜８のいずれか一項に記載の方法。
【請求項１０】
前記解析結果は、進行度指標である、請求項１〜９のいずれか一項に記載の方法。
【請求項１１】
前記進行度指標は、網膜神経節細胞（ＲＧＣ）の指標である、請求項１０に記載の方法。
【請求項１２】
前記関数は、臨床的に関連する疾患の段階と関連するように最適化されている、請求項１〜１１のいずれか一項に記載の方法。
【請求項１３】
疾患に影響を与えるイベントのタイミングを同じグラフィカルディスプレイに表示することをさらに含む、請求項１〜１２のいずれか一項に記載の方法。
【請求項１４】
前記疾患に影響を与えるイベントは、前記疾患の治療に関連している、請求項１３に記載の方法。
【請求項１５】
前記共通のスケールは、網膜神経節細胞（ＲＧＣ）カウントに比例する、請求項１〜１４のいずれか一項に記載の方法。
【手続補正２】
【補正対象書類名】明細書
【補正対象項目名】００８２
【補正方法】変更
【補正の内容】
【００８２】
本発明の原則とその実用的な用途を例証するために実施形態、実施例および説明を選んで説明してきたが、本発明を定義するものではないことを理解するべきである。本発明の変更および変型は当業者には明らかであろう。本発明の範囲は請求項によって定義され、本出願の時点で周知の等価物および予測できない等価物を含む。
以下に、上記実施形態から把握できる技術思想を付記として記載する。
［付記１］
患者の眼の組織の異常度を解析する方法であって、
診断検査を使用して患者の眼の複数の測定値を収集すること、
前記複数の測定値を入力として使用して第２の診断検査の形態で出力を生成する変換関数を前記複数の測定値に適用すること、
前記患者の前記関数の出力を正常な被験者の複数の測定値から作成した確率分布と比較して正常度の尤度を示すこと、
正常に対する前記関数の出力の状態を表示すること
を含む方法。
［付記２］
前記変換関数は前記収集した複数の測定値の空間分布および測定スケールを変更する、付記１に記載の方法。
［付記３］
前記関数の出力を表示することをさらに含む、付記１に記載の方法。
［付記４］
前記変換関数は、患者母集団全体の２つの診断検査の結果の類似度を最大化するように構成されている、付記１に記載の方法。
［付記５］
前記診断検査は、前記眼の１つの構造的な検査と１つの機能的な検査とを含む、付記１に記載の方法。
［付記６］
前記診断検査の少なくとも１つは、視野検査、ＲＮＦＬ解析、ＯＮＨ解析、神経節細胞解析および黄斑部網膜内層厚からなる群から選択されている、付記１に記載の方法。
［付記７］
患者の眼の異常度を解析する方法であって、
異なる複数の診断検査を使用して患者の眼の２以上の複数の測定値を収集すること、
正常なものと疾患のあるものとを区別するように最適化された出力を生成する変換関数を使用して、前記複数の測定値を組み合わせること、
前記患者の前記関数の出力を正常な被験者の複数の測定値から作成した確率分布と比較して正常度の尤度を示すこと、
正常に対する前記関数の出力の状態を表示すること
を含む方法。
［付記８］
前記複数の測定値は共通の空間分布および測定スケールを使用して組み合わせられる、付記７に記載の方法。
［付記９］
前記関数の出力を表示することをさらに含む、付記７に記載の方法。
［付記１０］
前記診断検査は前記眼の１つの構造的な検査と１つの機能的な検査とを含む、付記７に記載の方法。
［付記１１］
前記診断検査の少なくとも１つは、視野検査、ＲＮＦＬ解析、ＯＮＨ解析、神経節細胞解析および黄斑部網膜内層厚からなる群から選択されている、付記７に記載の方法。
［付記１２］
前記２以上の複数の測定値は、視野測定法、走査レーザー偏光分析法および光干渉トモグラフィ（ＯＣＴ）の中の１以上の技術を使用して収集される、付記７に記載の方法。
［付記１３］
前記２以上の複数の測定値は同じ技術を使用して得られる、付記１２に記載の方法。
［付記１４］
前記関数の出力は入力の１つと同じ形態である、付記７に記載の方法。
［付記１５］
前記関数への入力は個々の診断検査の信頼性に応じて重みを付けられている、付記７に記載の方法。
［付記１６］
患者の眼の疾患の進行を解析する方法であって、
２以上の異なる時に２以上の診断検査を使用して患者の眼の複数の測定値を収集すること、
進行度に対応する出力を生成する変換関数を使用して前記複数の測定値を組み合わせること、
ある時の前記患者の前記関数の出力を、異なる時の前記患者の前記関数の出力と比較すること、
経時的な前記関数の進行の出力を表示すること
を含む方法。
［付記１７］
前記複数の測定値は共通の空間分布および測定スケールを使用して組み合わせられている、付記１６に記載の方法。
［付記１８］
前記関数の出力を表示することをさらに含む、付記１６に記載の方法。
［付記１９］
前記診断検査は前記眼の１つの構造的な検査と１つの機能的な検査とを含む、付記１６に記載の方法。
［付記２０］
前記診断検査の少なくとも１つは、視野検査、ＲＮＦＬ解析、ＯＮＨ解析、神経節細胞解析および黄斑部網膜内層厚からなる群から選択されている、付記１６に記載の方法。
［付記２１］
２以上の複数の測定値は、視野測定法、走査レーザー偏光分析法および光干渉トモグラフィ（ＯＣＴ）の中の１以上の技術を使用して収集される、付記１６に記載の方法。
［付記２２］
２以上の複数の測定値は同じ技術を使用して得られる、付記２１に記載の方法。
［付記２３］
前記関数の出力は入力の１つと同じ形態である、付記１６に記載の方法。
［付記２４］
前記関数への入力は個々の診断検査の信頼性に応じて重みを付けられている、付記１６に記載の方法。
［付記２５］
患者の眼の疾患の進行を特定する方法であって、
２以上の異なる時に２以上の診断検査を使用して患者の眼の複数の測定値を収集すること、
出力を生成する変換関数を使用して前記複数の測定値を組み合わせること、
経時的な前記患者の前記関数の出力の変化を、正常な被験者から生成した前記関数の出力の再現性の確率分布と比較して、疾患の進行の尤度を示すこと、
前記比較に基づいて出力を表示すること
を含む方法。
［付記２６］
前記複数の測定値は共通の空間分布および測定スケールを使用して組み合わせられている、付記２５に記載の方法。
［付記２７］
前記関数の出力を表示することをさらに含む、付記２５に記載の方法。
［付記２８］
前記診断検査は前記眼の１つの構造的な検査と１つの機能的な検査とを含む、付記２５に記載の方法。
［付記２９］
前記診断検査の少なくとも１つは、視野検査、ＲＮＦＬ解析、ＯＮＨ解析、神経節細胞解析および黄斑部網膜内層厚からなる群から選択されている、付記２５に記載の方法。
［付記３０］
２以上の複数の測定値は、視野測定法、走査レーザー偏光分析法および光干渉トモグラフィ（ＯＣＴ）の中の１以上の技術を使用して収集される、付記２５に記載の方法。
［付記３１］
２以上の複数の測定値は同じ技術を使用して得られる、付記３０に記載の方法。
［付記３２］
前記関数の出力は入力の１つと同じ形態である、付記２５に記載の方法。
［付記３３］
前記関数への入力は個々の診断検査の信頼性に応じて重みを付けられている、付記２５に記載の方法。
［付記３４］
患者の眼の異なる診断検査から多重出力パラメータを表示する方法であって、
２以上の異なる時に２つの診断検査を使用して患者の眼の複数の測定値を収集すること、
前記複数の測定値を入力として使用して異なる診断検査の形態で出力を生成する変換関数を前記複数の測定値の１つに適用すること、
２以上の複数の測定値を時間の関数として単一のグラフィカルディスプレイに表示すること
を含む方法。
［付記３５］
前記変換関数は、前記変換関数を適用した前記複数の測定値の空間分布および測定スケールを変更する、付記３４に記載の方法。
［付記３６］
疾患に影響を与えるイベントのタイミングを同じグラフィカルディスプレイに表示することをさらに含む、付記３４に記載の方法。
［付記３７］
前記疾患に影響を与えるイベントは前記疾患の治療に関係している、付記３６に記載の方法。
［付記３８］
前記診断検査は前記眼の１つの構造的な検査と１つの機能的な検査とを含む、付記３４に記載の方法。
［付記３９］
前記診断検査の少なくとも１つは、視野検査、ＲＮＦＬ解析、ＯＮＨ解析、神経節細胞解析および黄斑部網膜内層厚からなる群から選択されている、付記３４に記載の方法。
［付記４０］
２以上の複数の測定値は、視野測定法、走査レーザー偏光分析法および光干渉トモグラフィ（ＯＣＴ）の中の１以上の技術を使用して収集される、付記３４に記載の方法。
［付記４１］
２以上の複数の測定値は同じ技術を使用して得られる、付記４０に記載の方法。